(57)【特許請求の範囲】
【請求項１】
公共環境衛生のための自己浄化機能を備えた収納装置であって、
筐体（１）と、筐体（１）に移動可能に接続されるゲート（２）と、筐体（１）の中の支
持プレート（３３）と、を含み、支持プレート（３３）は複数組であり、支持プレート（
３３）が均等に筐体（１）の内部に設けられており、筐体（１）の側壁に複数の第１通孔
（１１）が設けられており、筐体（１）の頂部には第２通孔（１１１）が設けられ、第２
通孔（１１１）内には接続管（３）が設けられ、接続管（３）内には活性炭条（３２）が
設けられており、接続管（３）の側壁には複数の第３通孔（３１）が設けられ、
接続管（３）の側壁には取付プレート（３６）が設けられ、取付プレート（３６）には第
１可動溝（３６１）が設けられ、第１可動溝（３６１）には第１接続バー（３４１）が設
けられ、第１接続バー（３４１）の頂部には接続管（３）に係合するカバープレート（３
４）が設けられ、第１接続バー（３４１）は第１可動溝（３６１）の内壁に沿って移動す
ることができ、
第１可動溝（３６１）の内壁には第１滑溝（１０１）が設けられ、第１接続バー（３４１
）の側壁には第１接続バー（３４１）に係合する第１スライダ（１０２）が設けられてお
り、第１可動溝（３６１）の内壁には接続スプリング（３６２）が設けられており、接続
スプリング（３６２）は第１接続バー（３４１）と係合する、ことを特徴とする公共環境
衛生のための自己浄化機能を備えた収納装置。
【請求項２】
筺体（１）の頂部には第１接続バー（３４１）に係合する第２可動溝（１３）が設けられ
、第２可動溝（１３）には第１ストッパ（１４）が設けられ、第１ストッパ（１４）には
プッシュブロック（１４１）が設けられており、第１接続バー（３４１）には第１ストッ
パ（１４）に係合する第１ストッパ溝（３４３）が設けられ、第２可動溝（１３）には第
１ストッパ（１４）に係合するストッパスプリング（１３１）が設けられ、第１接続バー
（３４１）の側壁には第１磁気ブロック（１０３）が設けられており、第２可動溝（１３
）の内壁には第２磁気ブロック（１０４）が設けられており、第１磁気ブロック（１０３
）は第２磁気ブロック（１０４）と磁気的に相互に引き合う、ことを特徴とする請求項１
に記載の公衆環境衛生のための自己浄化機能を有する収納装置。
【請求項３】
接続管（３）の側壁には第１ストッパプレート（３５）が設けられ、第１ストッパプレー
ト（３５）の底には支持スプリング（３５１）が設けられ、筐体（１）の底部には接続管
（３）に係合する支持管（１０５）が設けられ、筐体（１）の底部には支持管（１０５）
に係合する凹溝（１０６）が設けられ、接続管（３）内には複数の固定枠（３７）が設け
られ、固定枠（３７）は第２接続バー（３７１）を介して接続管（３）の内壁に固着され
る、ことを特徴とする請求項１に記載の公共環境衛生のための収納装置。
【請求項４】
支持プレート（３３）は円盤状構造であり、支持プレート（３３）には接続管（３）に係
合する第４通孔（３３２）が設けられ、支持プレート（３３）には複数の第５通孔（３３
１）が設けられ、筐体（１）の内壁には支持プレート（３３）に係合する支持ブロック（
１５）が設けられ、支持ブロック（１５）には複数のボールが設けられている、ことを特
徴とする請求項１に記載の公共環境衛生のための自己浄化機能を備えた収納装置。
【発明の詳細な説明】
【技術分野】
【０００１】
本発明は、公共環境衛生分野に属し、特に公共環境衛生のための自己浄化機能を備えた収
納装置に関する。
【背景技術】
【０００２】
多くの公共の場所では、靴を脱いで入る必要がある。例えば、日本式や韓国式の飲食店、
チムジルバン、親子遊園地、スケート場などでは、脱ぎ捨てた靴は公共の収納棚に預ける
。しかし、靴の内部には汗の味、臭気、細菌などがある。収納棚の中には臭いや病原菌が
発生しやすく、収納棚は頻繁に開けなければなりません。公共場所で伝播しやすく、公共
環境衛生に影響する。例えば、除菌・消臭作用を有するイオンを発生するイオン発生器６
Ａ，６Ｂと、該イオン発生器６Ａ，６Ｂから発生されるイオンを幅方向に送風する送風機
７Ａ，７Ｂとを具備し、収容室５Ａ〜５Ｈの開口に送風によって開口側を横切るによる空
気壁を形成した除菌・消臭機能付き下駄箱が開示されており、イオンによる除菌・消臭効
率を高めた除菌・機能付き下駄箱を低コストに提供するという効果がある（特許文献１参
照）。前方に開口する収納空間２内を送風する送風装置１を設け、該収納空間の前方開口
を開閉する戸体９を設けた収納構造であって、前記収納空間を区画する仕切板７を、その
前端と閉鎖状態の前記戸体の背面との間に空気流通空間３を形成するように設け、前記送
風装置の吸込口１２及び吹出口１３を、前記収納空間の奥行方向に直交する方向に向けて
開口するように設けた構造とされ、かつ、前記送風装置を、前記吸込口及び前記吹出口を
前記収納空間の奥行方向における前記仕切板の前端と閉鎖状態の前記戸体の背面との間に
おいて開口させる位置と、前記吸込口及び前記吹出口を前記仕切板によって仕切られた空
間において開口させる位置と、に奥行方向に移動自在に配置した構造とされている収納構
造が開示されており、仕切板によって仕切られた空間への送風と収納空間内の空気を効果
的に循環させる送風とを可能としながらも装置構成の簡略化を図り得る収納構造を提供す
るという効果がある（特許文献２参照）。
［先行技術文献］
［特許文献］
［特許文献1］特開２０１１−２００５９０号公報
［特許文献2］特開２０１５−１３０９４２号公報
【発明の概要】
【０００３】
本発明は、先行技術の不足を克服するために、公衆環境衛生のための自己浄化機能を備え
た収納装置を提供する。
【０００４】
上記の目的を達成するために、本発明に係る公共環境衛生のための自己浄化機能を備えた
収納装置は、筐体と、移動可能に接続される筐体の上のゲートと、筐体の中の支持プレー
トと、を含み、支持プレートは複数組であり、支持プレートが均等に筐体の内部に設けら
れており、筐体の側壁に複数の第１通孔が設けられており、支持プレートは筐体内に着脱
可能であり、筐体の頂部には第２通孔が設けられ、第２通孔内には接続管が設けられ、接
続管内には活性炭条が設けられており、接続管側壁には複数の第３通孔が設けられる。支
持プレートは靴を置くために用いられ、複数の支持プレートの設置により、収納装置の容
量を増大させ、収納装置内により多くの保管が可能となる。靴が支持プレートに置いた後
、戸棚の扉を閉めて、靴を箱の中に閉じ込めて、靴の匂いが第３通穴を通って接続管に入
る。活性炭で靴のにおいを処理する。収納装置内の細菌などの物質を吸収して、靴を健康
的に収納装置に入れる。第１通穴の作用により、靴に対して密封の役割を果たしながら、
靴の通風の需要を維持し、靴の保管が便利であり、風に通さない環境での靴の使用寿命に
影響を与えないようにする。収納装置内の気体が直接外の空気中に漂わないように、外気
が第１通穴から収納装置に入ると、収納装置内の空気が接続管内に入り込み、活性炭条の
作用で収納装置内のガスが浄化され、収納装置内の空気が減少する。外気による影響は、
第１通穴と活性炭の相互作用により、収納装置を空気の流通状態にし、収納装置が開いた
時の臭気と病原菌の放出を避け、公共環境衛生への影響を低減する。
【０００５】
接続管の側壁に取付プレートが設けられ、取付プレートには第１可動溝が設けられ、第１
可動溝には第１接続バーが設けられ、第１接続バーの頂部には接続管に係合するカバープ
レートが設けられ、第１接続バーは第１可動溝の内壁に沿って移動することができる。
【０００６】
第１可動溝の内壁に第１滑溝が設けられ、第１接続バーの側壁には第１接続バーに係合す
る第１スライダが設けられており、第１可動溝の内壁には接続スプリングが設けられてお
り、接続スプリングは第１接続バーと係合する。筺体の頂部には、第１接続バーに係合す
る第２可動溝が設けられ、第２可動溝には第１ストッパが設けられ、第１ストッパには、
プッシュブロックが設けられており、第１接続バーには、第１ストッパに係合する第１ス
トッパ溝が設けられ、第２可動溝には第１ストッパに係合するストッパスプリングが設け
られ、第１接続バーの側壁には第１磁気ブロックが設けられており、第２可動溝の内壁に
は第２磁気ブロック１０４が設けられており、磁気ブロックは第２磁気ブロックと磁気的
に相互に引き合う。
【０００７】
接続管の側壁には第１ストッパプレートが設けられ、第１ストッパプレートの底には支持
スプリングが設けられ、筐体の底部には接続管に係合する支持管が設けられ、筐体の底部
には支持管に係合する凹溝が設けられ、接続管内には複数の固定枠が設けられ、固定枠は
第２接続バーを介して接続管の内壁に固着される。
【０００８】
支持プレートは円盤状構造であり、支持プレートには接続管に係合する第４通孔が設けら
れ、支持プレートには複数の第５通孔が設けられ、筐体の内壁には支持プレートに係合す
る支持ブロックが設けられ、支持ブロックには複数のボールが設けられている。
【０００９】
本発明は、収納装置のオープン時の臭気や病原菌の放出を回避し、公共環境衛生に対する
影響を低減するという利点を有する。
【図面の簡単な説明】
【００１０】
【図１】本発明の構成図である。
【図２】本発明の断面図である。
【図３】本発明の接続管の構成図である。
【図４】本発明の接続管の断面図である。
【図５】本発明のフィルタプレートセットの構成図である。
【図６】本発明のフィルタプレートセットの断面図である。
【図７】図６のＡ箇所の拡大図である。
【図８】図２のＤ箇所における拡大図である。
【図９】図１のＢ箇所における拡大図である。
【図１０】本発明の断面図のその２である。
【図１１】図１０のＣ箇所における拡大図である。
【発明を実施するための形態】
【００１１】
図１〜１１に示すように、公共環境衛生のための自己浄化機能を備えた収納装置は、筐体
１と、移動可能に接続される筐体１の上のゲート２と、筐体１の中の支持プレート３３と
、を含み、支持プレート３３は複数組であり、支持プレート３３が均等に筐体１の内部に
設けられており、筐体１の側壁に複数の第１通孔１１が設けられており、支持プレート３
３は筐体１内に着脱可能であり、筐体１の頂部には第２通孔１１１が設けられ、第２通孔
内には接続管３が設けられ、接続管３内には活性炭条３２が設けられており、接続管３側
壁には複数の第３通孔３１が設けられている。気流は第３通孔を介して活性炭条と接触す
る。本接触は、活性炭の作用により、空気に対して浄化作用があり、不織布袋内に粒子活
性炭を充填して活性炭条が形成される。
【００１２】
接続管３の側壁に取付プレート３６が設けられ、取付プレート３６には第１可動溝３６１
が設けられ、第１可動溝３６１には第１接続バー３４１が設けられ、第１接続バー３４１
の頂部には接続管３に係合するカバープレート３４が設けられ、第１接続バー３４１は第
１可動溝３６１の内壁に沿って移動することができる。活性炭条を接続管内に入れた後、
活性炭条が接続管内部に入り込み、第１接続バーが第１可動溝に沿って移動し、第１接続
バーがカバープレートを動かして移動させ、２つの取付プレートのカバーが互いに協働し
て、カバープレートの役割の下で接続管を密封することができる。活性炭を接続管に閉じ
込め、過剰なほこりや不純物を接続管内に落ちることで活性炭の浄化効果が損なわれるこ
とを回避でき、活性炭が靴が筐体内で発生する異臭に対処でき、活性炭条が靴箱内のにお
いに対する処理効果が向上する。
【００１３】
第１可動溝３６１の内壁に第１滑溝１０１が設けられ、第１接続バー３４１の側壁には第
１接続バー３４１に係合する第１スライダ１０２が設けられており、第１可動溝３６１の
内壁には接続スプリング３６２が設けられており、接続スプリング３６２は第１接続バー
３４１と係合する、第１接続バーは第１可動溝と相互に嵌合し、第１接続バーと第１可動
溝との嵌合効果を高める。接続スプリングは第１接続バーに引っ張り作用を与える。活性
炭を接続管から取り出す必要がある場合、接続スプリングの作用の下で、第１接続バーを
第１可動溝の一端に移動させ、カバープレートを分離して、活性炭条を取り出して清掃す
ることが便利でする。
【００１４】
筺体１の頂部には、第１接続バー３４１に係合する第２可動溝１３が設けられ、第２可動
溝１３には第１ストッパ１４が設けられ、第１ストッパ１４には、プッシュブロック１４
１が設けられており、第１接続バー３４１には、第１ストッパ１４に係合する第１ストッ
パ溝３４２が設けられ、第２可動溝１３には第１ストッパ１４に係合するストッパスプリ
ング１３１が設けられる。接続管の装着時に、プッシュブロックを押して第１ストッパを
第２可動溝の端に押し込んだ後、第１接続バーを第２可動溝に合わせて接続管を筐体に入
れて、第１接続バーを第２可動溝の中に入れた後、プッシュブロックを解放し、スプリン
グの作用で第１ストッパを押して、第１ストッパを第１接続バーの方向に移動させる。第
１ストッパを第１ストッパ溝内に入れて、第１ストッパ溝と互いに接触させて嵌め合う。
第１ストッパ溝と第１ストッパとの相互協働のもとで、接続管に固定作用が働く。
【００１５】
第１ストッパの作用の下で、第１接続バーを可動溝の他端に動かして、カバープレートを
制限スプリングと第１ストッパの相互協働の下でスプリングの弾力を克服させ、より良い
協働をする。靴の筐体内の空気の浄化効果を向上させる。第１ストッパの役割により、接
続管に対して密封作用を果たすと同時に、接続管に固定効果があり、接続管の取り付けを
便利にし、接続管と筐体とが安定して嵌合する。
【００１６】
第１接続バー３４１の側壁には第１磁気ブロック１０３が設けられており、第２可動溝１
３の内壁には第２磁気ブロック１０４が設けられており、磁気ブロック１０３は第２磁気
ブロック１０４と磁気的に相互に引き合う。第１ストッパの作用により第１接続バーが第
１可動溝の一端に移動し、第１磁気ブロックと第２磁気ブロックが接触し、第１磁気ブロ
ックと第２磁気ブロックの作用の下で、第１接続バーを第１可動溝の端に固定し、第１可
動溝の内壁を通して第１接続バーに支持力を提供し、第１ストッパに第１接続バーを挿入
すると、第１接続バーに位置限定効果があり、接続管が安定的に筐体に固定され、接続管
と筐体の接続効果を向上させる。外部のほこりや不純物が接続管内に入ることで活性炭の
浄化効果に影響を与えることを回避でき、活性炭が接続管から落ちるのを防ぐ。
【００１７】
接続管３の側壁には第１ストッパプレート３５が設けられ、第１ストッパプレート３５の
底には支持スプリング３５１が設けられ、筐体１の底部には接続管３に係合する支持管１
０５が設けられ、筐体１の底部には支持管１０５に係合する凹溝１０６が設けられている
。支持管は接続管に対して支持作用をし、接続管は筐体内に入れられた後、接続管は支持
管上に置かれる。接続管の頂部を筐体の頂部より高くし、接続管を取り外すのを便利にす
る。凹溝を通して活性炭条を収容する作用があり、接続管と協働して、活性炭条の頂部を
接続管の内部に設置する。カバープレートの作用の下で接続管を閉鎖する作用があり、活
性炭条を接続管の中に閉じ込める。接続管を筐体から取り外す必要がある時は、プッシュ
ブロックを第２可動溝の一端に移動させ、第１ストッパを第１ストッパ溝から離脱させ、
第１ポールと第１ストッパ溝が外れた後、スプリングを支持する作用の下で第１ストッパ
を上に移動させ、第１接続バーが接続管を上に移動させる。第１接続バーは第２可動槽か
ら抜けて、第１接続バーをスプリングの作用で第１可動溝の一端まで移動させ、カバープ
レートを脱着させ、活性炭条を接続管から取り出しやすく、活性炭条を処理しやすく、活
性炭条の使用寿命を延長して、活性炭条が靴箱内の空気の浄化効果を高める。
【００１８】
接続管３内には複数の固定枠３７が設けられ、固定枠３７は第２接続バー３７１を介して
接続管３の内壁に固着される。固定枠の作用により活性炭条に対して位置固定作用が働く
。活性炭条が接続管内に固定され、活性炭条と接続管の側壁との間に一定の間隔が存在し
、活性炭条が靴箱内の気体とよりよく接触し、靴箱内の気体に接触するように固定され、
気体の浄化処理の役割を果たし、空気中の細菌やほこりなどの不純物を吸着し、靴箱内の
空気が外部の空気に与える影響を減少させる。
【００１９】
支持プレート３３は円盤状構造であり、支持プレート３３には接続管３に係合する第４通
孔３３２が設けられ、支持プレート３３には複数の第５通孔３３１が設けられている。支
持プレートは円盤状構造とすることにより、支持プレート上の空間を最大限に利用して、
支持プレート上に靴をより多く置くことができ、靴箱の容量を増加させる。筐体１の内壁
には支持プレート３３に係合する支持ブロック１５が設けられ、支持ブロック１５には複
数のボールが設けられている。
【００２０】
前記筐体１の側壁には取付空洞１０７が設けられており、第１通孔１１と取付空洞１０７
が接続され、取付空洞１０７内にフィルタプレートセットが設けられ、取付空洞１０７内
にさらにフィルタプレートセットと組み合わせたバッフル５が設けられている。靴箱内の
空気と外気との交換の際に、靴箱内の空気がフィルタプレートセットを通って靴箱内の空
気を発散させて、靴箱内の空気が発散するときに、フィルタプレートセットでフィルタさ
れ、
【００２１】
フィルタプレートセットの作用の下で、気流の中の細菌のほこりなどの不純物に対して濾
過を行って、靴箱の中の気流が直接外に排出して室内の空気に対して影響をもたらすこと
を免れる。靴が靴の箱の中でほこりにしみることを防止できる。バッフルの役割により第
１通穴の通断をコントロールし、支持プレートに靴を入れた後、活性炭条の役割で靴を初
歩的に処理する。靴から発生したほとんどの臭気を吸収し、その後にバッフルを移動させ
て、第１通穴を開けた状態にして、靴箱と外界を通じた状態にして、靴を通風環境の中に
置いて、靴の良好な保管環境を提供する。
【００２２】
フィルタプレートセットは、取付空洞内に設けられた取付架台４と、取付架台４に設けら
れた接続部品と、取付架台４に設けられた濾過網４４と、を含み、濾過は活性炭に対して
フィルタし、気体中のほこりや不純物を吸収するのを便利にする。接続部品の役割の下で
、濾過網を取付架台に固定して、濾過網と取付架台架台との接続を行う。取付架台を取付
空洞から取り出した後、接続部品の作用により網目を取付架台から取り外し、濾過網の掃
除・交換がしやすくなり、空気に対するろ過効果を高め、フィルタプレートセットのろ過
効果を最適な状態にする。
【００２３】
接続部品は、取付架台４に設けられた第１接続ブロック４５と、第１接続ブロック４５に
ヒンジ接続されたプラテン４６とを備えており、プラテン４６と取付架台４は共に磁性材
料でできており、プラテンと取付架台の磁性とが引き合う。濾過網を設置する際には、接
続点の回りにプラテンを回転させて、プラテンが濾過網に押圧するようにし、濾過網に対
して固定作用が働き、濾過網を取付架台に固定する。プラテンと取付架台との磁力作用で
、プラテンと取付架台の嵌合効果を高めて、プラテンが接続点の周りを回り、濾過網を取
付架台から離脱することを避け、濾過網に対する固定効果を高める。
【００２４】
取付架台４には取付溝４８が設けられており、取付溝４８に第２ストッパ４７が可動に接
続されており、第２ストッパの中部が取付溝内の壁にヒンジ接続されており、第２ストッ
パが接続点の周りに回転でき、取付溝４８には第２ストッパ４７に係合するリセットスプ
リング４８１が設けられており、第２ストッパ４７には第２ストッパ溝が設けられており
、
プラテン４６には第２ストッパ溝に係合する第２ストッパ４６１が設けられ、濾過網を取
付架台に置くと、プラテンを回転させて、プラテンと取付架台を嵌め合わせて、プラテン
と取付架台とが嵌め合うと、第２ストッパが第２ストッパ溝内に埋め込まれ、第２ストッ
パとストッパ溝との嵌め合いにより、プラテンの固定作用が働き、プラテンと取付架台と
が分離することを回避できる。リセットスプリングは第２ストッパに固定作用を与え、第
２ストッパがプラテンに対する固定効果を高める。第２ストッパ頂部にはスロープがある
。スロープの作用で、第２ストッパがスロープの表面に沿って回転しやすくなり、第２ス
トッパが第２ストッパ溝内に入り、第２ストッパ溝と相互に協働して、第２ストッパがプ
ラテンに対する固定作用を作用させる。
【００２５】
濾過網を取り外して掃除や交換を行う必要がある場合、取付溝の一端に向かって第２スト
ッパを押して、第２ストッパを接続点の周りに回転させる。これにより、第２ストッパの
頂部を第２ストッパから遠く離れさせ、第２ストッパを第２ストッパ溝から抜けさせて、
圧力プレートを上に回転させて、濾過網の固定効果を失わせる。濾過網は取り付け棚から
取り外す。第２ストッパはリセットスプリングの作用で縦の状態まで移動する。濾過網を
入れる時に濾過網に固定作用を与える。
【００２６】
取付架台４の頂部には、第１接続プレート４１が設けられており、第１接続プレート４１
には接続溝４１１が設けられており、筐体１の頂部には、接続溝４１１に係合する第２接
続ブロック１２が設けられている。取付架台４の頂部にはさらに第３接続バー４２が設け
られており、第３接続バー４２に第２接続プレート４３が設けられており、フィルタプレ
ートセットを取付空洞に装着すると、第１接続プレートと第２接続ブロックが嵌合し、第
２接続ブロックと接続溝との相互作用のもとで、取付架台に対して固定作用が働き、取付
架台を安定して取付空洞に設置でき、フィルタプレートセットが靴箱内の気流に安定した
ろ過効果を提供できる。第２接続プレートの作用の下で、取付架台を取り外しやすくなる
。取付架台を取付空洞から取り出しやすくなる。濾過網の保護・掃除がしやすく、濾過網
の使用寿命を延長でき、濾過網の濾過効果を高めて、靴箱の中の空気が外界の空気に対す
る影響を減らす。
【００２７】
バッフル５の頂部に第３接続プレート５１が設けられており、第３接続プレート５１には
第６通の穴が設けられており、第６通穴を通してバッフルの取り外しを容易にする。戸棚
２には、バッフル５に係合する空洞５１が設けられている。第１通穴を開ける必要がある
とき、第３接続プレートの作用により、第３接続プレートを取付空洞から取り出しやすく
、第１通穴を導通状態にする。靴が通風環境に置かれ、靴の保管に有利である。バッフル
が空洞から取り出した後、空洞内に置かれ、空洞を通じてバッフルを収容する役割を果た
し、バッフルを取り出す時にバッフルに損傷を与えることを避け、バッフルに対して保護
作用を果たす。
【００２８】
ゲート１には第１取付架台２２が設けられており、第１取付架台２２には第３接続ブロッ
ク２６５がヒンジ接続されており、第３接続ブロック２６５には第４接続プレート２６が
設けられており、第４接続プレート２６には第６貫通孔２６１が設けられている。第４接
続プレートの第６通孔は、長柄の傘を置くために用いられ、家の中には長い柄の傘がある
ときに、接続点を巻回して第４接続プレートを下に回して第４第４接続プレートを動かし
、第４接続プレートを水平にして、第１アンサンブルと第３接続ブロックの組み合わせで
、第４接続プレートを支える。長柄の傘は第六通孔に入れられる。第六の通孔の作用で傘
を置くのを便利にする。
【００２９】
ゲート２には第２取付架台２３が設けられており、第２取付架台２３は第１取付架台２２
の下方に設けられており、第２取付架台２２には、第４接続プレート２６に係合する収水
槽２５が可動に接続されており、長柄の傘が使用後に室内に収納されると、収水槽と第４
接続プレートを裏返して、長柄の傘を第６通穴に差し込み、長柄の傘を収水槽の上に立て
る。収水槽を通して長柄の傘の雨水を収集して、傘の上の雨水が室内に落下して室内の地
面に影響を与えることを免れる。第六通穴の作用により、傘に支持力を提供して、傘を安
定的に第六通の穴に立てて、使用後の傘を快速に雨滴を乾かせる。
【００３０】
収水槽２５の底部には出水管２５１が設けられており、出水管２５１はねじにより密封カ
バーに接続されており、収水槽２５の底部は出水管２５１の位置に傾斜構造が形成されて
いる。密封カバーはねじにより出水管と接続されており、出水管を密閉する作用があり、
密封カバーの役割により、出水管の遮断を制御しやすく、傘の雨水を一時的に水槽内集め
ることができる。室内の地面が濡れることを防止できる。収水槽の底面の斜面構造によっ
て、収水槽内の雨水が水道管のところに流れやすくする。収水槽内の雨水を排出し、雨水
の室内への影響を減らす。
【００３１】
ゲート２には、第４接続プレート２６に係合する第１固定部品と、収水槽２５に係合する
第２固定部品が設けられており、第１固定部品と第２固定部品との作用により、第４接続
プレートと接続収水槽を第１取付架台と第２取付架台に固定し、第４接続プレートと収水
槽を使わない時は靴箱の体積を減らして、靴箱の使用に便利にする。
【００３２】
第１固定部品には、ゲート２の第４接続ブロック２４１と第４接続ブロック２４１の固定
プレート２４が設けられ、第４接続プレート２６には第４接続ブロック２４１にヒンジ接
続された第２溝が設けられている。第２固定部品は第１固定部品と同じ構造である。固定
プレートと第４接続ブロックは可動に接続されている。固定プレートを制御するのを便利
にする。第４接続プレートを下に置く必要があるときは、固定プレートを回転させて第４
接続プレートと切り離すようにし、第４接続プレートを重力の下で下に回転させ、第４接
続プレートを水平にして、第４接続プレートを通して傘の収納に便利する。
【００３３】
第６通孔２６１の内壁には第２取付溝２６２が設けられており、第２取付溝２６２には固
定スプリング２６３が設けられており、固定スプリング２６３の一端には固定ブロック２
６４が設けられており、固定ブロック２６４の一端が円弧構造である。傘が第６通孔内に
入ると、傘は押圧されたまま、固定ブロックを第２取付溝内に押し込み、固定スプリング
を収縮状態にする。固定スプリングの作用の下で、固定ブロックにより、傘に推力を提供
して、固定ブロックが傘に圧力を提供して、固定ブロックの作用の下で、固定ブロックの
傘に対する固定効果を増加させ、傘を第六通孔の中に安定的に置けるようにする。
【要約】      （修正有）【課題】公衆環境衛生のための自己浄化機能を備えた収納装置を提供する。【解決手段】収納装置は、筐体１と、移動可能に接続される筐体の上のゲートと、筐体の中の支持プレート３３と、を含み、支持プレートは複数組であり、支持プレートが均等に筐体の内部に設けられており、筐体の側壁に複数の第１通孔１１が設けられており、支持プレートは筐体内に着脱可能であり、筐体の頂部には第２通孔１１１が設けられ、第２通孔内には接続管３が設けられ、接続管内には活性炭条３２が設けられており、接続管側壁には複数の第３通孔が設けられる。支持プレートは靴を置くために用いられ、複数の支持プレートの設置により、収納装置の容量を増大させ、収納装置内により多くの保管が可能となる。外気による影響は、第１通孔と活性炭の相互作用により、収納装置を空気の流通状態にし、収納装置が開いた時の臭気と病原菌の放出を避け、公共環境衛生への影響を低減する。【選択図】図２【図１】
0006813757.tif 000002
【図２】
0006813757.tif 000003
【図３】
0006813757.tif 000004
【図４】
0006813757.tif 000005
【図５】
0006813757.tif 000006
【図６】
0006813757.tif 000007
【図７】
0006813757.tif 000008
【図８】
0006813757.tif 000009
【図９】
0006813757.tif 000010
【図１０】
0006813757.tif 000011
【図１１】
0006813757.tif 000012